(57)【要約】      （修正有）【課題】無線ＬＡＮ接続が可能な環境で、太陽光発電パネルの発電量、使用電力量および発電電力を蓄えた蓄電池残量等の電力データの通信を高速にて実施可能にする電力情報サービス装置を提供する。【解決手段】太陽光発電による現在の発電量、使用電力量および蓄電池残量等の電力データを管理する電力データ管理装置１と、この電力データ管理装置１により管理された電力データをインターネット６に接続する無線ＬＡＮ対応のルータ５と、を備え、前記インターネット接続された無線ＬＡＮ対応のコンピュータ７または多機能携帯端末８から前記電力データ管理装置１により管理された前記電力データを確認可能な構成とする。【選択図】図１
0003176095.tif 000002
【実用新案登録請求の範囲】
【請求項１】
宅内または構内で使用される太陽光発電による現在の発電量、使用電力量および蓄電池残量等の電力データを管理する電力データ管理装置と、
この電力データ管理装置により管理された電力データをインターネットに接続する無線ＬＡＮ対応のルータと、を備え、
前記インターネット接続された無線ＬＡＮ対応のコンピュータまたは多機能携帯端末等から前記電力データ管理装置により管理された前記電力データを確認可能にすることを特徴とする太陽光発電による電力情報サービス装置。
【請求項２】
前記電力データ管理装置が、
宅内または構内で使用される太陽光発電による現在の発電量、使用電力量および蓄電池残量等の電力データを収集する電力データ収集手段と、
電力データ収集手段が収集した電力データを所定のデータ処理プログラムにより処理して電力情報データベースに格納するデータ処理手段と、
前記電力データの通知サービスを受けようとするユーザの個人情報をデータベースに登録するための登録処理プログラムやユーザＩＤ，パスワードの確認を伴うアクセスによって前記電力データの提供サービスを実施するためのサービス処理プログラムを持つサービスアプリケーション手段と、
を備えることを特徴とする請求項１記載の電力情報サービス装置。
【考案の詳細な説明】
【技術分野】
【０００１】
本考案は、宅内や構内に設置されて、太陽光発電パネルの発電量、使用電力量およびその発電電力を蓄える蓄電池の残量（蓄電池残量）等の電力データを収集し、この収集データを、無線ＬＡＮを通してインターネット接続されたパソコンやスマートフォンなどの多機能携帯端末等で確認可能にする電力情報サービス装置に関するものである。
【背景技術】
【０００２】
今日では、一般家庭や企業の電力需要に応えるため安全で自然にやさしい太陽光発電システムが広く採用されている（例えば、特許文献１を参照）。この太陽光発電システムでは、電化製品や電力設備の使用電力量を家庭や建物に設けられた電力メータを監視することによって確認することができる。
【０００３】
一方、この太陽光発電システムは蓄電池を有し、太陽光による発電量が負荷の消費電力量よりも大きい場合には、その余剰電力を蓄電池に充電している。逆に発電量が負荷の消費電力量よりも少ない場合には、不足の電力を補うために蓄電池から放電させた電力を交流変換して負荷装置に供給している。
【０００４】
また、太陽光発電パネルによる発電量が負荷の消費電力量よりも少なく、この不足の電力を補うための蓄電池残量が不十分である場合には、商用電源から負荷に電力を供給するとともに、インバータを通して直流変換した電力を蓄電池に充電している。従って、このような電力供給や変換制御などを含む各種の太陽光発電システム全体の運用や電力に関する管理を適正化するために、太陽光発電パネルの発電量、使用電力量およびその発電電力を蓄える蓄電池残量等の電力データを監視する必要がある。
【先行技術文献】
【特許文献】
【０００５】
【特許文献１】特開２０１１−３５１３６号公報
【考案の概要】
【考案が解決しようとする課題】
【０００６】
しかしながら、かかる従来の太陽光発電システムにあっては、太陽光パネルの発電量、使用電力量および蓄電池残量等の電力データは、これらの発電量や電力値の測定器の設置部所で容易かつ集中的に監視可能であるものの、その測定器の設置部所から離れた遠隔地で監視することは一般的に困難である。また、前記計測器による前記発電量や電力値の測定値を、インターネットを通じ、遠隔地で監視可能にする方法が提案されているものの、その監視データの通信速度が遅いという不都合があった。
【０００７】
さらに、インターネットを通じて受信した太陽光発電パネルの発電量、使用電力量および蓄電池残量等の電力データに基づき、省エネルギや節電のための具体的方策を遠隔地から高速で前記宅内や構内に指示できないという不都合があった。
【０００８】
本考案は、上述した事情に鑑みてなされたものであり、その目的は、無線ＬＡＮ接続が可能な環境で、太陽光発電パネルの発電量、使用電力量および発電電力を蓄えた蓄電池残量等の電力データの通信を、インターネットを介して電力データ管理装置とパソコンや多機能携帯端末等との間で高速にて実施可能にする電力情報サービス装置を提供することにある。
【課題を解決するための手段】
【０００９】
前述した目的を達成するために、本考案に係る電力情報サービス装置は、宅内または構内で使用される太陽光発電による現在の発電量、使用電力量および蓄電池残量等の電力データを管理する電力データ管理装置と、この電力データ管理装置により管理された電力データをインターネットに接続する無線ＬＡＮ対応のルータと、を備え、前記インターネット接続された無線ＬＡＮ対応のコンピュータまたはスマートフォンやタブレット型コンピュータなどの多機能携帯端末（スマートフォン）から前記電力データ管理装置で管理された前記電力データを確認可能にすることを特徴とする。
【００１０】
この構成により、宅内または構内のホームＬＡＮに接続された太陽光発電電力の電力計、使用電力の電力計、蓄電池残量計などから得られる太陽光発電電力、使用電力、蓄電池残量のデータが無線ＬＡＮ対応のルータを通してインターネットに接続されたパソコンや多機能携帯端末に送信される。また、これらのパソコンや多機能携帯端末は電力データ管理装置に対しインターネットを通じて無線ＬＡＮ接続可能になっている。
【００１１】
このため、これらのパソコンや多機能携帯端末からのアクセスによって、前記電力計や電圧計が測定する太陽光発電電力、使用電力、蓄電池残量を監視でき、この監視結果に従って、パソコンや多機能携帯端末から特定時期、時間帯に消費される電力に対応して商用電源または太陽光発電パネルから負荷への電力供給の切換えや、蓄電池残量に応じた蓄電池の充放電切換えを指令し、ＷＩ−ＦＩによる無線ＬＡＮ環境が整った状況下で、電力需要に対する電力管理を高速にて監視、実行することができる。
【００１２】
また、本考案にかかる電力情報サービス装置は、前記電力データ管理装置が、宅内または構内で使用される太陽光発電による現在の発電量、使用電力量および蓄電池残量等の電力データを収集する電力データ収集手段と、電力データ収集手段が収集した電力データを所定のデータ処理プログラムにより処理して電力情報データベースに格納するデータ処理手段と、前記電力データの通知サービスを受けようとするユーザの個人情報をデータベースに登録するための登録処理プログラムやユーザＩＤ、パスワードの確認を伴うアクセスによって前記電力データの提供サービスを実施するためのサービス処理プログラムを持つサービスアプリケーション手段と、を備えることを特徴とする。
【００１３】
この構成により、データ処理装置は電力データ収集手段が収集した太陽光発電による現在の発電量、使用電力量および蓄電池残量等の電力データをディジタル処理して電力情報データベースに格納し、サービスアプリケーション手段はその電力情報を送受信するためのサービスアプリケーションプログラムに従って、顧客登録されてサービスを受ける特定ＩＤ、パスワードのユーザに無線ＬＡＮ対応のルータを介してインターネットに接続されたパソコンや多機能携帯端末に前記電力情報のサービスを高速で提供することができる。つまり、電力データ管理手段は前記パソコンやスマートフォン、タブレット型コンピュータ等の多機能携帯端末に対して宅内の電力データである太陽光発電パネルの現在の発電量、負荷の使用電力量、蓄電池残量などの電力データを通知する。
【００１４】
この場合において、電力データ管理装置はさらに宅内に設置された無線ＬＡＮ対応のパソコンやスマートフォンやタブレット型コンピュータ等の多機能携帯端末に対しても、前記太陽光発電パネルの現在の発電量、負荷の使用電力量、蓄電池残量などの電力データを通知する。
【考案の効果】
【００１５】
本考案によれば、無線ＬＡＮ接続が可能な環境で、太陽光発電パネルの発電量、使用電力量および発電電力を蓄えた蓄電池残量等の電力データを、遠隔のパソコンや多機能携帯端末等に高速に通知可能にする。
【００１６】
以上、本考案について簡潔に説明した。更に、以下に説明される考案を実施するための最良の形態を添付の図面を参照して詳細に説明する。
【図面の簡単な説明】
【００１７】
【図１】本考案の実施形態による電力情報サービス装置を示す概念図である。
【図２】図１における電力データ管理装置の具体例を示すブロック図である。
【考案を実施するための形態】
【００１８】
以下、本考案の実施の形態による電力情報サービス装置を、図１および図２を参照しながら説明する。
【００１９】
図１に示す本実施形態の電力情報サービス装置は、例えば宅内２に太陽光発電パネルによる現在の発電量、使用電力量および蓄電池残量等の電力データを管理する電力データ管理装置１を備える。この電力データ管理装置１は、太陽光発電パネルが発生する太陽光発電電力を計測する電力計、負荷の使用電力量を計測する電力計、前記太陽光発電電力を充電する蓄電池の残量を計測する残量計などから、ホームＬＡＮを形成するＬＡＮケーブル３ａ、３ｂ、３ｃ、・・３ｎを通して前記の各電力データを収集し、処理して後述の電力情報データベース１３に格納する。  
【００２０】
また、これらの電力データはインターネット接続可能な無線ＬＡＮ４および無線ＬＡＮ対応のルータ５を通じて、インターネット６に接続された無線ＬＡＮ対応（ＷＩ-  ＦＩ対応）のパソコン７やスマートフォンやタブレット型コンピュータ等の多機能携帯端末８に送信される。つまり、ＷＩ−ＦＩによる無線ＬＡＮ環境が整っている場合には、電力情報サービス装置は、これらのパソコン７や多機能携帯端末８に対して宅内２の電力データである太陽光発電パネルの現在の発電量、負荷の使用電力量、蓄電池残量などの電力データを高速通知可能にする。
【００２１】
この場合において、宅内２に設置された無線ＬＡＮ対応のパソコン９やスマートフォン、タブレット型コンピュータなどの多機能携帯端末１０などの無線ＬＡＮ対応端末に対しても、太陽光発電パネルの現在の発電量、負荷の使用電力量、蓄電池残量などの電力データが通知される。
【００２２】
図２は、図１に示した電力データ管理装置１の一具体例を示す。この電力データ管理装置１は、電力データ収集手段１１と、データ処理手段１２と、電力情報データベース１３と、サービスアプリケーション手段１４と、顧客（通知先）データベース１５と、ウエブ（ｗｗｗ）サーバ（ホームページ）１６と、を備える。これらのうち、電力データ収集手段１１は、ＣＰＵやプログラムメモリ等を備え、プログラムメモリに記憶された各種（太陽光発電パネルの現在の発電量、負荷の使用電力量、蓄電池残量などの）電力の電力量収集プログラムに従って各電力計等から所定時間間隔（収集時間間隔）で各電力量を読み取り、収集データテーブルに電力種別にセットする。
【００２３】
データ処理手段１２は、ＣＰＵやプログラムメモリ等を備え、プログラムメモリに記憶されたデータ処理プログラムに従って、ユーザ登録されているユーザ（顧客）の前記収集された電力データ、つまり電力データ収集手段１１が収集した太陽光発電パネルの発生電力、負荷の使用電力および蓄電池残量等の電力データを処理し、この電力データを電力情報データベース１３に格納する。
【００２４】
サービスアプリケーション手段１４はＣＰＵやプログラムメモリ等を備え、電力情報を送信するためのサービスアプリケーションプログラムに従って動作し、電力情報サービスを受けようとするユーザの個人情報を顧客（ユーザ）データベース１５に登録するためのユーザ登録処理プログラムや、ウエブサーバ１６によって電力データ管理装置１のホームページを開設し、このホームページを通したユーザＩＤ、パスワードの確認を伴うアクセスにより、電力情報の提供サービスを実施するユーザサービスプログラムが用意される。
【００２５】
かかる構成の電力情報サービス装置では、ユーザが顧客データベース１５に登録されたユーザ情報対応のウエブサーバ１６のホームページに前記パソコン７や多機能携帯端末８からアクセスすると、電力情報サービスの登録が受け付けられたユーザのパソコン７や多機能携帯端末８に登録受付画像が提供される。そして、この登録受付画面に従ってユーザが入力する個人データが取得される。
【００２６】
この個人データにはユーザＩＤが付加されて登録されており、この登録されたユーザＩＤ対応の各電力データ（太陽光発電パネルの発生電力、負荷の使用電力、蓄電池残量等のデータ）が前記データ収集手段１１で収集され、受信時刻や電力データの分類コードに対応付けられて収集テーブルに格納される。さらに、こうして収集された前記各電力データはデータ処理手段１２に送られる。
【００２７】
データ処理手段１２は、収集データを収集先であるユーザ情報に対応付けられた電力情報データベース１３に格納する。サービスアプリケーション手段１４は、ユーザサービス処理に従って電力データ表示画面を作成し、これをウエブサーバ１６、無線ＬＡＮ対応のルータ５を介してインターネット６上のホームページにアクセスした前記パソコン７や多機能携帯端末８に対して送信し、表示可能にする。これによりユーザはそのパソコン７や多機能携帯端末８の画面上で各電力データの確認を簡単、迅速に行うことができる。
【００２８】
このように本実施形態では、宅内２または構内で使用される太陽光発電による現在の発電量、使用電力量および蓄電池残量等の電力データを管理する電力データ管理装置１と、この電力データ管理装置１により管理された電力データをインターネット６に接続する無線ＬＡＮ対応のルータ５と、を備え、前記インターネット接続された無線ＬＡＮ対応のコンピュータ７または多機能携帯端末８から前記電力データ管理装置１により管理された前記電力データを確認可能な構成とした。
【００２９】
この構成により、パソコン７や多機能携帯端末８からのアクセスによって、宅内１または構内のホームＬＡＮに接続された太陽光発電電力の電力計、使用電力の電力計、蓄電池残量計などから得られる太陽光発電電力、使用電力、蓄電池容量のデータが無線ＬＡＮ対応のルータ５を通してインターネット６に接続されたパソコン７や多機能携帯端末８に送信される。このため、前記電力計等が測定する太陽光発電電力、使用電力、蓄電池残量をパソコン７や多機能携帯端末８で監視でき、この監視結果に従って、パソコン７や多機能携帯端末８側から特定時期、時間帯に消費される電力に対応して商用電源または太陽光発電パネルから負荷への電力供給の切換えや、蓄電池残量（蓄電池容量）に応じた蓄電池の充放電切換えを可能にし、電力需要に対する電力管理を遠隔から高速に監視、実行可能とすることができる。
【産業上の利用可能性】
【００３０】
本考案は、無線ＬＡＮ接続が可能な環境で、太陽光発電パネルの発電量、使用電力量および発電電力を蓄えた蓄電池残量の電力データの通信を高速にて実施できるという効果を有し、太陽光発電パネルの発電量、使用電力量およびその発電電力を蓄える蓄電池の残量等の電力データを収集し、この収集データを、無線ＬＡＮを通してインターネット接続されたパソコンや多機能携帯端末で確認することができる電力情報サービス装置等に有用である。
【符号の説明】
【００３１】
１  電力データ管理装置
３ａ〜３ｎ  ＬＡＮケーブル
４  ＬＡＮケーブル（無線ＬＡＮ対応）
５  ルータ（無線ＬＡＮ対応）
６  インターネット
７、９パソコン
８、１０  多機能携帯端末（スマートフォン、タブレット型コンピュータ）
１１  電力データ収集手段
１２  データ処理手段
１３  電力情報データベース
１４  サービスアプリケーション手段
１５  顧客（ユーザ）データベース
１６  ウエブサーバ
【図１】
0003176095.tif 000003
【図２】
0003176095.tif 000004